【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
表示状態が変化可能な可変表示装置と、遊技球が流下する遊技領域に設けられた始動領域にて遊技球を検出する始動検出手段と、該始動検出手段により遊技球が検出されると、開閉部材により開閉される大入賞口を遊技者にとって不利な第２の状態から遊技者にとって有利な第１の状態とする始動動作を行う可変入賞装置と、該可変入賞装置に設けられた複数の領域のうちの特定領域への遊技球の通過を検出する特定玉検出手段とを備え、前記始動動作を行っているときに前記大入賞口に入賞した遊技球が前記特定玉検出手段によって検出されると、前記始動動作よりも遊技者にとってさらに有利な特定態様で前記大入賞口を前記第１の状態に制御する特定遊技状態を発生させる遊技機であって、
前記可変入賞装置にて前記大入賞口から前記特定領域に遊技球を誘導可能な誘導経路を複数設け、
前記複数の誘導経路は、第１の誘導経路と、該第１の誘導経路よりも遊技球が前記特定領域に進入する確率が低くなるように構成された第２の誘導経路とを含み、
前記第１及び第２の誘導経路における遊技球の通過を各々検出する通過球検出手段と、
前記複数の通過球検出手段のいずれが遊技球の通過を検出したかを判定する通過経路判定手段と、
前記可変表示装置の表示制御を行い、前記通過経路判定手段の判定結果に応じて異なる演出表示を前記可変表示装置に行わせる表示制御手段と、
前記可変表示装置にて前記複数の誘導経路のうち前記第２の誘導経路の通過による演出表示を実行中であるか否かを判定する低確率演出判定手段と、
前記低確率演出判定手段が前記第２の誘導経路の通過による演出表示を実行中であると判定したときは、前記通過経路判定手段により前記複数の通過球検出手段のうちで前記第１の誘導経路の通過球検出手段が遊技球の通過を検出したと判定されたときに、実行中の前記第２の誘導経路の通過による演出表示を中止させ、前記第１の誘導経路の通過による演出表示に切り換えて実行させる高確率演出切換手段、とを備える、
ことを特徴とする遊技機。
【請求項２】
前記特定遊技状態において、前記大入賞口を前記特定態様で前記第１の状態とするラウンドを継続条件の成立により所定の上限回数まで継続可能であり、
前記特定遊技状態において前記大入賞口に入賞した遊技球が前記特定玉検出手段によって検出されたことを条件に次のラウンドへの前記継続条件を成立させる継続制御手段と、
前記可変入賞装置の内部構造を前記特定領域に遊技球が進入しやすい状態と進入しがたい状態とに変化させる内部構造変化手段と、
所定条件が成立したときに数値データを更新する数値データ更新手段から数値データを抽出する数値データ抽出手段と、
前記数値データ抽出手段により抽出された数値データを判定し、前記特定遊技状態において前記可変入賞装置の内部構造を前記特定領域に遊技球が進入しがたい状態とするラウンドの決定を行うラウンド決定手段、とを含む、
ことを特徴とする請求項１に記載の遊技機。
【請求項３】
前記表示制御手段は、前記ラウンド決定手段の決定内容を報知するための演出表示を、前記可変表示装置に行わせる、
ことを特徴とする請求項２に記載の遊技機。
【請求項４】
前記数値データ抽出手段は、遊技球が前記特定玉検出手段によって検出され特定遊技状態が発生するより前に所定条件が成立したときに数値データを抽出する、
ことを特徴とする請求項２又は３に記載の遊技機。
【請求項５】
前記可変表示装置による演出表示態様が複数記憶された記憶手段と、
前記ラウンド決定手段の決定内容に基づいて前記記憶手段に記憶された演出表示態様のいずれかを選択する表示態様選択手段、とをさらに備え、
前記数値データ抽出手段は、前記始動検出手段が遊技球を検出したときに数値データを抽出し、
前記表示制御手段は、前記表示態様選択手段により選択された演出表示態様で前記可変表示装置に演出表示を行わせることにより、前記ラウンド決定手段の決定内容に応じて異なる演出表示を行わせる、
ことを特徴とする請求項４に記載の遊技機。
【請求項６】
前記数値データ抽出手段により抽出された数値データを予め定められた期間が経過したときに無効化する無効化手段をさらに備える、
ことを特徴とする請求項５に記載の遊技機。
【請求項７】
前記表示制御手段は、前記通過経路判定手段の判定結果に応じた演出表示を、前記ラウンド決定手段の決定内容に応じた演出表示態様で前記可変表示装置に行わせる、
ことを特徴とする請求項２から６のいずれか１項に記載の遊技機。
【請求項８】
前記第１及び第２の誘導経路内に、遊技球の転動速度を減速させる転動速度抑制部を設けた、
ことを特徴とする請求項１から７のいずれか１項に記載の遊技機。
【請求項９】
前記可変入賞装置から排出された遊技球を検出する排出玉検出手段をさらに備え、
前記表示制御手段は、前記排出玉検出手段により遊技球が検出されたときに、前記通過経路判定手段の判定結果に応じた演出表示を終了させる、
ことを特徴とする請求項１から８のいずれか１項に記載の遊技機。
【手続補正２】
【補正対象書類名】明細書
【補正対象項目名】０００７
【補正方法】変更
【補正の内容】
【０００７】
【課題を解決するための手段】
上記目的を達成するため、本願の請求項１に記載の遊技機は、表示状態が変化可能な可変表示装置（例えば可変表示器９）と、遊技球が流下する遊技領域に設けられた始動領域にて遊技球を検出する始動検出手段（例えば始動玉検出器４１ａ〜４１ｃ）と、該始動検出手段により遊技球が検出されると、開閉部材により開閉される大入賞口を遊技者にとって不利な第２の状態（例えば開閉部材２０ａ、２０ｂが大入賞口２１ａ、２１ｂを閉じた状態）から遊技者にとって有利な第１の状態（例えば開閉部材２０ａ、２０ｂが大入賞口２１ａ、２１ｂを開成した状態）とする始動動作を行う可変入賞装置（例えば可変入賞装置６）と、該可変入賞装置に設けられた複数の領域のうちの特定領域（例えばＶゾーン３５）への遊技球の通過を検出する特定玉検出手段（例えば特定玉検出器４０）とを備え、前記始動動作を行っているときに前記大入賞口に入賞した遊技球が前記特定玉検出手段によって検出されると、前記始動動作よりも遊技者にとってさらに有利な特定態様で前記大入賞口を前記第１の状態に制御する特定遊技状態を発生させる遊技機であって、前記可変入賞装置にて前記大入賞口から前記特定領域に遊技球を誘導可能な誘導経路を複数設け（例えば左・中・右流下経路２６ａ〜２６ｃ）、前記複数の誘導経路は、第１の誘導経路（例えば中流下経路２６ｂ）と、該第１の誘導経路よりも遊技球が前記特定領域に進入する確率が低くなるように構成された第２の誘導経路（例えば左・右流下経路２６ａ、２６ｃ）とを含み、前記第１及び第２の誘導経路における遊技球の通過を各々検出する通過球検出手段（例えば経路通過玉検出器４３ａ〜４３ｃ）と、前記複数の通過球検出手段のいずれが遊技球の通過を検出したかを判定する通過経路判定手段（例えばＣＰＵ１０３がステップＳ１６６の経路通過表示判定処理を実行する部分）と、前記可変表示装置の表示制御を行い、前記通過経路判定手段の判定結果に応じて異なる演出表示（例えば図２２（Ａ）及び（Ｂ）に示す演出表示）を前記可変表示装置に行わせる表示制御手段（例えばＣＰＵ１０３及び表示制御基板１２に搭載されたＣＰＵ）と、前記可変表示装置にて前記複数の誘導経路のうち前記第２の誘導経路の通過による演出表示を実行中であるか否かを判定する低確率演出判定手段と（例えばＣＰＵ１０３がステップＳ３３１の処理を実行する部分）と、前記低確率演出判定手段が前記第２の誘導経路の通過による演出表示を実行中であると判定したときは、前記通過経路判定手段により前記複数の通過球検出手段のうちで前記第１の誘導経路の通過球検出手段が遊技球の通過を検出したと判定されたときに、前記表示制御手段に実行中の前記第２の誘導経路の通過による演出表示を中止させ、前記第１の誘導経路の通過による演出表示に切り換えて実行させる高確率演出切換手段（例えばＣＰＵ１０３がステップＳ３３２〜Ｓ３３５の処理を実行する部分）、とを備える。
【手続補正３】
【補正対象書類名】明細書
【補正対象項目名】０００８
【補正方法】変更
【補正の内容】
【０００８】
請求項１に記載の構成によれば、遊技球が複数の誘導経路のいずれを通過したかによって特定領域に進入する確率を異ならせることができる。また、誘導経路を遊技球が通過したことによる演出表示を行い、低確率演出判定手段が第２の誘導経路の通過による演出表示を実行中であると判定したときは、通過経路判定手段により特定領域への進入確率が比較的高い第１の誘導経路の通過球検出手段が遊技球の通過を検出したと判定されたときに、実行中の第２の誘導経路の通過による演出表示を中止して、第１の誘導経路の通過による演出表示に切り換えられる。この表示から、遊技者は、第２の誘導経路の通過による演出表示が実行されていたときであっても、特定遊技状態となる可能性が高いことを予想でき、遊技球がどの誘導経路を通過したかということに対する期待感が高まり、遊技の興趣性が向上する。
【手続補正４】
【補正対象書類名】明細書
【補正対象項目名】００１１
【補正方法】変更
【補正の内容】
【００１１】
請求項４に記載の遊技機においては、前記数値データ抽出手段は、遊技球が前記特定玉検出手段によって検出され特定遊技状態が発生するより前に所定条件が成立したとき（例えば入賞玉検出器４２ａ又は４２ｂが大入賞口２１ａ又は２１ｂへの入賞玉を検出したときや、経路通過玉検出器４３ａ〜４３ｃのいずれかが遊技球の通過を検出したときなど）に数値データを抽出する。この構成によれば、特定領域への進入に先立って特定遊技状態における可変入賞装置の変化態様を決めることができ、特定領域に遊技球が進入したときに多くの処理を短時間で実行しなければならなくなることを防止して、処理負担を軽減することができる。
【手続補正５】
【補正対象書類名】明細書
【補正対象項目名】００１４
【補正方法】変更
【補正の内容】
【００１４】
請求項７に記載の遊技機においては、前記表示制御手段は、前記通過経路判定手段の判定結果に応じた演出表示を、前記ラウンド決定手段の決定内容に応じた演出表示態様（例えば図２２〜図２４に示す演出表示態様）で前記可変表示装置に行わせる。この構成によれば、遊技球が特定領域に進入する確率と、特定領域に進入後の特定遊技状態で遊技者に与えられる利益の違いにより、演出表示を異ならせることができる。この演出表示により、遊技者の期待感が高められ、遊技の興趣性が向上する。
【手続補正６】
【補正対象書類名】明細書
【補正対象項目名】００１５
【補正方法】変更
【補正の内容】
【００１５】
請求項８に記載の遊技機においては、前記第１及び第２の誘導経路内に、遊技球の転動速度を減速させる転動速度抑制部（例えば転動速度抑制部材２９ａ〜２９ｆ）を設けた。この構成によれば、遊技球が誘導経路を通過してから特定領域に進入するか否かの結果が判明するまでの時間を長引かせることができ、遊技球が誘導経路を通過したことによる演出表示を長時間行って、遊技者の期待感を高めることができる。
【手続補正７】
【補正対象書類名】明細書
【補正対象項目名】０１６０
【補正方法】変更
【補正の内容】
【０１６０】
請求項１に記載の遊技機によれば、遊技球が複数の誘導経路のいずれを通過したかによって特定領域に進入する確率を異ならせることができる。
また、誘導経路を遊技球が通過したことによる演出表示を行い、低確率演出判定手段が特定領域への進入確率が比較的低い第２の誘導経路の通過による演出表示を実行中であると判定したときは、通過経路判定手段により特定領域への進入確率が比較的高い第１の誘導経路の通過球検出手段が遊技球の通過を検出したと判定されたときに、実行中の第２の誘導経路の通過による演出表示を中止して、第１の誘導経路の通過による演出表示に切り換えられる。これにより、遊技者は、第２の誘導経路の通過による演出表示が実行されていたときであっても、特定遊技状態となる可能性が高いことを予想することができ、遊技球がどの誘導経路を通過したかということに対する遊技者の期待感が高まり、遊技の興趣性が向上する。
【手続補正８】
【補正対象書類名】明細書
【補正対象項目名】０１６３
【補正方法】変更
【補正の内容】
【０１６３】
請求項４に記載の遊技機においては、数値データ抽出手段は、遊技球が特定玉検出手段によって検出され特定遊技状態が発生するより前に数値データを抽出するので、特定領域への進入に先立って特定遊技状態における可変入賞装置の変化態様を決めることができ、特定領域に遊技球が進入したときに多くの処理を短時間で実行しなければならなくなることを防止して、処理負担を軽減することができる。
【手続補正９】
【補正対象書類名】明細書
【補正対象項目名】０１６６
【補正方法】変更
【補正の内容】
【０１６６】
請求項７に記載の遊技機においては、通過経路判定手段の判定結果に応じた演出表示がラウンド決定手段の決定内容に応じた演出表示態様で行われるので、遊技球が特定領域に進入する確率と、特定領域に進入後の特定遊技状態で遊技者に与えられる利益の違いにより、演出表示を異ならせることができる。この演出表示により、遊技者の期待感が高められ、遊技の興趣性が向上する。
【手続補正１０】
【補正対象書類名】明細書
【補正対象項目名】０１６７
【補正方法】変更
【補正の内容】
【０１６７】
請求項８に記載の遊技機においては、遊技球の転動速度を減速させる転動速度抑制部が第１及び第２の誘導経路内に設けられているので、遊技球が誘導経路を通過してから特定領域に進入するか否かの結果が判明するまでの時間を長引かせることができ、遊技球が誘導経路を通過したことによる演出表示を長時間行って、遊技者の期待感を高めることができる。